(57)【要約】【課題】  トレイ上に載置した食器類の滑動を完全に防止しうる粘着性を有し、しかも使用後にトレイを洗浄し、重ね合わせて所定の位置に収納する場合にトレイ同士が粘着することなく、円滑に移動しうるという相反する機能を同時に備え、しかもトレイ用の滑動防止層に要求される機能をすべて備えた新規な滑動防止性トレイを提供する。【解決手段】  内側底面に１本又は２本以上の凸条を設け、該凸条の稜線を除く内側底面全面にわたって滑動防止層で被覆した滑動防止性トレイとする。【選択図】  図２
2007021091.tif 000002
【特許請求の範囲】
【請求項１】
内側底面に１本又は２本以上の凸条を設け、該凸条の稜線を除く内側底面全面にわたって滑動防止層で被覆したことを特徴とする滑動防止性トレイ。
【請求項２】
滑動防止層が層厚０．１〜２ｍｍのトレイ基板に強固に密着した少なくとも３０度の滑り極限角度を有するエラストマー層である請求項１記載の滑動防止性トレイ。
【請求項３】
エラストマー層がシリコーンゴムからなる請求項２記載の滑動防止性トレイ。
【発明の詳細な説明】
【技術分野】
【０００１】
本発明は、食器類を載置したときに、それらが滑動しにくく、しかもトレイのみを重ね合わせて格納するときに、作業を阻害することのない滑動防止性トレイに関するものである。
【背景技術】
【０００２】
盆やトレイについて、その上に載置したコップ、茶碗などの食器類が不安定で滑動しやすく、運搬中にわずかな振動、外部からの衝撃などにより滑落したり、内容物が溢れ出すことを防止するために、それらの内側底面に滑動防止層を設けることは知られている。
【０００３】
例えば、盆全体と合成樹脂製の載置部分からなり、載置部分の上面又は一部に防滑材と繊維を素材とする接合材とを一体に成形した防滑盆（特許文献１参照）、所定の粘着力を回復することができ、しかも粘着剤が被貼付物に移行しない粘着剤を塗布した盆（特許文献２参照）、容器が載置されるトレーの載置面を平坦に形成し、この載置面に高摩擦性合成樹脂塗料をそれぞれ所定の間隔を隔てて被着し多数の凸部を形成したトレー（特許文献３参照）、両端のスチレンの間にエチレン、プロピレンの連鎖構造をもつ熱可塑性エラストマー、両端のスチレンの間にエチレン、ブチレンの連鎖構造をもつ熱可塑性エスラトマーなどの防滑部材を、オレフィン系合成樹脂製盆本体と熱融着により一体化した防滑盆（特許文献４参照）、盆本体の下側及び上側に滑り防止層を備えた給仕用盆（特許文献５参照）、合成樹脂製トレイ本体の表面及び裏面に、ポリオレフィン含量４０重量％以上でＪＩＳ硬度５０Ａ〜７０Ｄの高分子組成物からなる滑り止めシートを接合した合成樹脂トレイ（特許文献６参照）などがこれまでに提案されている。
また、滑り止め防止材として、ポリエチレンゲル・ポリウレタンゲル又は液状シリコンゴムの硬化物やシリコンエラストマーのようなシリコーンゴム系エラストマーを用いることも知られている（特許文献７、８参照）。
【０００４】
しかしながら、これまでの滑り止め機能を有するトレイは、その上に載置した食器類が滑動して、落下したり、内容物が溢れ出すことを完全に防止するため、粘着性を大きいものとすると、使用後に洗浄してトレイを重ね合わせ、所定の位置に収納する作業の際に、トレイ同士の粘着が起り、円滑な作業を妨げるという欠点がある。
【０００５】
また、滑り止め層の材料についても、食器等を載置し、運搬するトレイは、毎回使用後、洗浄剤や熱湯を用い、あるいはブラシを用いて付着した食品を擦り落しながら洗浄する操作を多数回繰り返す必要があるため、このトレイに設けられる滑り止め層を構成する材料は、耐水性のみでなく、耐熱性、耐薬品性を有し、かつ機械的な摩擦に対し、強固な抵抗性を示すものでなければならないが、これまでこのような物性を完全に満足するものは知られていなかった。
【０００６】
【特許文献１】実開平５−６８３７８号公報（特許請求の範囲その他）
【特許文献２】実開平６−３８７５８号公報（特許請求の範囲その他）
【特許文献３】実開平７−３９６５３号公報（特許請求の範囲その他）
【特許文献４】特開２００１−２９２０４号公報（特許請求の範囲その他）
【特許文献５】特表２０００−５０４２４３号公報（特許請求の範囲その他）
【特許文献６】特開２００１−２０６３３８号公報（特許請求の範囲その他）
【特許文献７】特開２００１−２４７１１６号公報（特許請求の範囲その他）
【特許文献８】実用新案登録第３０１８２３１号公報（特許請求の範囲その他）
【発明の開示】
【発明が解決しようとする課題】
【０００７】
本発明は、トレイ上に載置した食器類の滑動を完全に防止しうる粘着性を有し、しかも使用後にトレイを洗浄し、重ね合わせて所定の位置に収納する場合にトレイ同士が粘着することなく、円滑に移動しうるという相反する機能を同時に備え、しかもトレイ用の滑動防止層に要求される機能をすべて備えた新規な滑動防止性トレイを提供することを目的としてなされたものである。
【課題を解決するための手段】
【０００８】
本発明者らは、食器をのせて運搬する際には、その載置した食器の滑動を十分に防止しうる粘着性を有し、使用後トレイを整頓する際には、トレイ同士の粘着により重ね合わせることが妨げられることのない滑動防止性を有するトレイを得るために種々研究を重ねた結果、トレイの内側底面に１本又は２本以上の凸条を設け、この凸条の稜線部分を除いて底面全面にわたって滑動防止層で被覆すること、換言すれば凸条の稜線部分は滑動しやすくして、トレイを重ね合わせる際、トレイ外側底面との接触により容易に滑動可能とし、凸条以外の底面すなわち食器が接解する部分は滑動防止機能を発揮するように構成することにより、その目的を達成しうることを見出し、その知見に基づいて本発明をなすに至った。
【０００９】
すなわち、本発明は、内側底面に１本又は２本以上の凸条を設け、該凸条の稜線を除く内側底面全面にわたって滑動防止層で被覆したことを特徴とする滑動防止性トレイを提供するものである。
【００１０】
また、本発明者は、先に落下破壊時の破片飛散を防止された高安全性食器において、皿状又は鉢状のガラス製又は陶磁器製食器において、ＪＩＳ−Ａ硬さ２０以上、引張強さ２０ｋｇｆ／ｃｍ2以上、伸び２００％以上のエラストマー層を設けることを提案したが（特許第２９２５１１１号公報参照）、このエラストマー層は、トレイの滑動防止層としても有効であり、しかも上記した要求性能をすべて満たすことを見出した。
したがって、本発明方法においては、このようなエラストマー層を用いることにより、よりいっそうその目的を達成することができる。
【００１１】
次に、添付図面に従って、本発明を詳細に説明する。
図１は、本発明の滑動防止性トレイの１例の平面図、図２は図１のＡ−Ａ線で沿った断面図であって、トレイ本体１の内側底面には、２本の凸条２、２´が膨成されている。この凸条２、２´は、トレイ本体１を鋳造により形成する際に、鋳型自体にあらかじめ膨成部を設けて形成させてもよいし、また板金加工により、トレイの形成を行う際に該当個所をかしめて形成させてもよい。そのほか、平らな底面のトレイを作製したのち、細長片を溶接又は接着して形成させてもよい。
【００１２】
この凸条２、２´の高さ、幅及びこれが複数本設けられた場合にはそれらの間隔は、トレイ上に載置される食器類の配置を妨げないようなサイズで選ばれるが、通常は１〜５ｍｍの範囲の高さ及び幅５０〜１００ｍｍの範囲の間隔が選ばれる。このように形成した内側底部４、上記凸条２、２´の頂部稜線３、３´を除き全体にわたって、滑動防止層５を被覆する。
この凸条を複数本設ける場合、各凸条は平行に設けてもよいし、交さ状に設けてもよい。また円形トレイなどの場合には、環状の凸条を１本又は複数本設けることもできる。
【００１３】
このトレイの基材としては、従来トレイの基材として慣用されている材料、例えば金属、木材、プラスチック、セラミックスなどから任意に選ぶことができる。この金属の例としては、アルミニウム、ステンレス鋼、銅、金、銀などがある。また、木材の例としては、杉、桧、桂、樫、桜、合板、ウルシ塗り木材、寄木細工などがある。プラスチックの例としては、ポリエチレン、ポリプロピレン、アクリル樹脂、ウレタン樹脂、尿素樹脂、メラミン樹脂、ポリカーボネート樹脂などがある。さらにセラミックスの例としては、ガラス、磁器、陶器などがある。
本発明のトレイの形状としては、食堂、喫茶店で使用されている給仕用トレイのように周囲に側壁を有するものでもよいし、懐石盆のように側壁を有しないものであってもよい。
図３は、丸盆状のトレイの１例の平面図であり、丸盆本体１の内側底面の中央部に環状凸条２が設けられ、この稜線頂上部分を除いて内側底面全体にわたって滑動防止層５が被覆されている。
【００１４】
次に、凸条２、２´の稜線３、３´を除き、底面４の全面にわたって被覆される滑動防止層は、ポリクロロプレン系、アクリロニトリルゴム系、ブタジエン−スチレンゴム系、天然ゴム系、フッ素ゴム系、シリコーンゴム系などのエラストマーによって形成させることができる。このエラストマーとしては、ＪＩＳ−Ａ形による硬さが２０以上、好ましくは３０以上、引張強さ２０ｋｇｆ／ｃｍ2以上好ましくは３０ｋｇｆ／ｃｍ2以上、伸び２００％以上好ましくは２５０％以上をもつものが用いられる。
【００１５】
この滑動防止層は、層厚０．１〜２ｍｍ、好ましくは０．２〜１ｍｍに形成させることが必要である。これよりも薄い場合には、滑動防止効果が不十分になるし、またこれよりも厚い場合には、トレイ基材の好ましい性質が減殺されるばかりでなく外観も不良になる。この滑動防止層には、所望に応じ着色剤を配合して、着色することもできるし、文字や図柄など各種の模様を施こすこともできる。このようにすれば、装飾も兼ねることができ、商品価値を一層高めることができる。
【００１６】
この滑動防止層は、例えば硬化後に、接触したときに若干の弾力を感じる程度の粘着性を有し、滑り極限角度３０度を有するエラストマーを与える接着性組成物を塗布し、硬化させることによって形成することができる。
【００１７】
このような接着性組成物は、上記の物性のエラストマーを生じ、トレイ基板に強固に接着するものである限り、特に制限はないが、短時間で硬化し、硬化後に良好な耐熱性、耐水性、耐薬品性を示すものであることが必要であり、かつ帯電防止性を有するものが好ましい。
【００１８】
このようなものは、シアノアクリレート系接着剤、ニトリル−エポキシ系接着剤、フェノール性ニトリルゴム接着剤、フェノール性クロロプレン接着剤、ポリウレタン系接着剤などとして市販されているが、特に好適なのは、接着性液状シリコーンゴム組成物である。この接着性液状シリコーンゴム組成物の例としては、炭素数１〜１８のアルキル基と炭素数２〜８のアルケニル基をもつポリアルキルアルケニルシロキサンや、炭素数１〜１８のアルキル基をもつポリアルキル水素などを挙げることができる。
【００１９】
これらの接着性組成物は、市販品例えば一液型ＲＴＶゴム（信越化学工業株式会社製）、一液性の接着性液状シリコーンゴムＴＳＥ３２ＸＸシリーズ、二液性の型取り用液状シリコーンゴム（いずれも東芝シリコーン株式会社製）やセメダインスーパーＸ（セメダイン株式会社製）として入手しうるものをそのまま、又は希釈して利用することができる。また、所望に応じ、架橋促進触媒、接着性向上剤、無機充てん剤などの補助成分を添加して用いることもできる。
【００２０】
これらの接着性組成物をトレイの底面に施すには、トレイの凸条の稜線部分を接着テープ等で覆い、全面にわたってロールコーター、ドクターナイフ、刷毛などの塗装器具を用いて塗布するか、噴霧塗装するか、あるいは浸漬によるか任意の方法で行うことができる。また、トレイの底部を部分的に液状接着性組成物中に浸漬するか、あるいは、液状接着性組成物を滴下滞留させ、自然流展させる。
【００２１】
このようにして、内側底面全面にわたって、接着性組成物を塗布した後、凸条稜線部を覆っていた接着テープをはがし、硬化を完了させる。
本発明の滑動防止性トレイは、少なくとも３０度の滑り極限角度を有することが好ましい。ここで滑り極限角度とは、図５に示すように、トレイ内側底面５に底面直径３０ｍｍ、質量２０ｇのガラスコップ６を載置し、トレイを少しずつ傾斜させて、該ガラスコップが滑落を開始したときの傾斜角度θをいう。この滑り極限角度が３０度以上であれば、通常、食堂や喫茶店において給仕する際に運搬中の食器がトレイ上で安定した状態を維持することができる。
【００２２】
図４は、本発明のトレイを２枚重ねた時の状態を示す断面図であり、この場合、下のトレイの凸条２、２´を有しない滑動防止層を稜線３、３´部分と、上のトレイの滑動防止層を有しない外側底面４が接触するため、両者は、通常の滑動防止層を有しないトレイと同様、何の障害なしに円滑に滑動し、重ねることができる。
【発明の効果】
【００２３】
本発明によると、底面上に載置した食器類に対しては、十分に滑動防止性を示し、使用済みのトレイを重ね合わせて洗浄、収納する場合には、何ら作業の妨げとならないトレイが提供される。
【発明を実施するための最良の形態】
【００２４】
次に、実施例により本発明を実施するための最良の形態を説明するが、これにより本発明は何ら限定されることはない。
【実施例１】
【００２５】
ＦＲＰ製角形トレイ（塩沢化工社製、縦４００ｍｍ、横３００ｍｍ、縁立上り部１５ｍｍ）の内側底面に、セメダイン・シリコーンシーラント（セメダイン社製、製品番号「８０６０」）を、２００μｍの厚さで塗布し、まだ硬化しないうちに、その中央付近に径３００μｍ、長さ２００ｍｍのアルミニウム線２本を１００ｍｍ間隔で、その径の約２分の１を露出させて埋め込んだのち硬化させた。
このようにして加工したトレイの内側底面の滑り極限角度は４０度であり、その内側底面にガラス製及びプラスチック製食器を載置して運搬しても、運搬中に移動することはなかった。
また、使用済み後、このトレイを重ね合わせて整頓する場合、重ねようとする２枚のトレイ間の移動は円滑に行われ、何ら作業に支障を生じなかった。
【実施例２】
【００２６】
あらかじめ中央部に、高さ２ｍｍ、幅３ｍｍで直径１５０ｍｍの環状凸条を設けた直径３００ｍｍの市販メラミン製縁付き丸盆に、凸条の稜部上面を除き、内側底部全面にわたって、実施例１と同じセメダイン−シリコーンシーラントを厚さ２００μｍで塗布し、硬化させた。
このものの内側底面の滑り極限角度は３２度であり、内側底面に陶磁器製の茶碗及び急須を載置しても、何ら移動中に滑ることなく、運搬することができた。
また、使用済み後、この丸盆を重ね合わせて整頓する場合には、滑りが阻害されることなく、何ら作業に支障をきたすことはなかった。
【産業上の利用可能性】
【００２７】
レストランや喫茶店などで用いる滑落防止のトレイとして有用である。
【図面の簡単な説明】
【００２８】
【図１】本発明のトレイの１例の平面図。
【図２】図１のＡ−Ａ線に沿った断面拡大図。
【図３】図１と別例の平面図。
【図４】本発明のトレイ２枚を重ね合わせたときの状態を示す断面図。
【図５】滑り極限角度の説明図。
【符号の説明】
【００２９】
１  トレイ
２、２´  凸条
３、３´  稜線
４  底面
５  滑動防止層
６  ガラスコップ
【図１】
2007021091.tif 000003
【図２】
2007021091.tif 000004
【図３】
2007021091.tif 000005
【図４】
2007021091.tif 000006
【図５】
2007021091.tif 000007